(57)【特許請求の範囲】
【請求項１】
上方に向けて拡径され上端が開放される平面形状が略長方形の容器本体と、容器本体上部の短辺方向に、長辺方向で掛け渡すように配置する平面形状が略長方形の中皿を着脱自在に配置する工具箱において、
中皿には、電気丸鋸のベース部分から突出している鋸刃及び鋸刃カバーを貫通させることができる大きさの貫通孔を底壁の長辺方向に穿設するとともに、中皿の周壁の高さは、前記電気丸鋸のベース部分から突出する鋸刃及び鋸刃カバーの突出寸法よりも大きな寸法とし、
前記中皿の長辺方向を容器本体の長辺方向に向けるとともに、中皿を上下反転させて容器本体内に配置した状態で中皿の底面に電気丸鋸を載置したときに、電気丸鋸の鋸刃及び鋸刃カバーを貫通孔から突出させ、中皿の底面に電気丸鋸のベース部分を支受させるとともに、容器本体は前記中皿の底面に電気丸鋸のベース部分を支受させた状態で電気丸鋸を収容することができる大きさに形成したことを特徴とする工具箱。
【請求項２】
中皿の上端に突起を形成するとともに、容器本体の内底部に前記突起が係合する係合部を形成したことを特徴とする請求項１記載の工具箱。
【請求項３】
中皿の底壁に穿設した貫通孔に沿って、中皿内を区画する仕切り壁を設けたことを特徴とする請求項１又は２記載の工具箱。
【請求項４】
中皿の底壁に穿設した貫通孔を塞ぐ、貫通孔蓋を着脱自在に設けたことを特徴とする請求項１ないし３のいずれかに記載の工具箱。
【発明の詳細な説明】
【技術分野】
【０００１】
この発明は、携帯用の電気丸鋸を収容することができる工具箱に関する発明である。
【背景技術】
【０００２】
携帯用の電気丸鋸を携行する場合、従来は電気丸鋸のみを露出させた状態で携行し、あるいは大きな工具箱の中に無造作に収容して携行するのが普通であった。この従来の携行方法は、危険であると同時に電気丸鋸の形状が複雑なものであることから、取り扱いにくいという欠点があった。
【０００３】
上記欠点を解消するため、特許文献１には、内部に電気丸鋸の本体と丸のこのカバーを支承する受部を形成した、電気丸のこ用収納箱の発明が開示されている。特許文献２には、工具箱本体の内部に、運搬対象の機器に対応した形状の仕切りを設けた内装箱を収容する思想が開示されている。特許文献３には、電動式丸鋸を斜めに載置させる電動式工具用トレイの発明が開示されている。
【先行技術文献】
【特許文献】
【０００４】
【特許文献１】実公平３−９９９４号公報
【特許文献２】実用新案登録第３０１９４０９号公報
【特許文献３】特開２０００‐６９４０号公報
【発明の概要】
【発明が解決しようとする課題】
【０００５】
特許文献１に開示された発明は、電気丸のこのみを収容する専用の収納箱であって、工事現場等に携行するに際し、特定形状の電気丸のこ以外の工具を携行することができない欠点があった。
特許文献２に記載された発明は、工具箱本体の中に運搬収納対象の電動工具に対応した形状の仕切りを備えた内装箱を収納するものであるが、内装箱に収納することができる電動工具は、内装箱の構造によって限定される。その結果各種の電気丸鋸を収容するという汎用性に欠けるとともに、収納対象の電動工具を携行しない場合は、内装箱を取り外して保管する必要があり、内装箱自体の取り扱いに困るといった欠点があった。
大きな工具箱の中に電気丸鋸を無造作に収容する場合や、特許文献３に開示されるトレイのように、電動式丸鋸を傾斜させて載置する場合は、電気丸鋸の精度に狂いを生じたり、損傷の原因となるため好ましいものではない。
【０００６】
上記従来技術の欠点に鑑み、本発明は、汎用性に優れた各種の電気丸鋸を携行することができる工具箱を実現するとともに、電気丸鋸を携行しない場合には、受け皿を備えた一般的な工具箱として使用することができる工具箱を提供することを目的とするものである。また、電気丸鋸を常に水平状態に保持し、前記、電気丸鋸を傾けることによる故障の原因を無くすることができる工具箱を実現するものである。
【課題を解決するための手段】
【０００７】
請求項１記載の発明に係る工具箱の容器本体１は、上方に向けて拡径され上端が開放される平面形状が略長方形とする。容器本体１内には、中皿２を設ける。中皿２は、容器本体１上部の短辺方向に、長辺方向で掛け渡すように配置する平面形状が略長方形であり、容器本体１に対して着脱自在に配置することができるものとする。
【０００８】
中皿２には、電気丸鋸３のベース部分3aから下方に突出している鋸刃3b及び鋸刃カバー3cを貫通させることができる大きさの貫通孔４を底壁2bの長辺方向に穿設する。そして、中皿２の周壁2aの高さＨは、前記電気丸鋸３のベース部分3aから下方に突出する鋸刃3b及び鋸刃カバー3cの突出寸法H’よりも大きな寸法とする。
前記中皿２の長辺方向を容器本体１の長辺方向に向けるとともに、上下反転させて容器本体１内に配置した状態で中皿２の底面に電気丸鋸３を載置したときに、電気丸鋸３の鋸刃3b及び鋸刃カバー3cを貫通孔４から突出させる。このとき、中皿２の底面に電気丸鋸３のベース部分3aが支受されるようにするとともに、容器本体１は前記中皿２の底面に電気丸鋸３のベース部分3aを支受させた状態で電気丸鋸を収容することができる大きさに形成することである。
【０００９】
請求項２記載の発明は、中皿２の上端、すなわち周壁2aの上端に突起５、５を形成するとともに、容器本体１の内底部に突起５が係合する係合部６を形成することである。
請求項３記載の発明は、中皿２の底壁2bに穿設した貫通孔４に沿って、中皿内を区画する仕切り壁７を設けること、請求項４記載の発明は、中皿２の底壁2bに穿設した貫通孔４を塞ぐ、貫通孔蓋８を着脱自在に設けることである。
【発明の効果】
【００１０】
電気丸鋸は、メーカーや機種によって各部の形状や寸法が異なる。しかしながら、いずれの電気丸鋸においても、被切断物の表面を摺動させるベース部分3aと、ベース部分3aから突出する鋸刃3b及び鋸刃カバー3cを備える点において共通している。
したがって、請求項１記載の発明によれば、中皿２の長辺方向を容器本体１の長辺方向に向け中皿２を上下反転させて配置し、中皿２の底面に電気丸鋸３のベース部分3aを支受させるとともに、鋸刃3b及び鋸刃カバー3cを貫通孔４から突出させることによって細部の形状や寸法が異なる各種電気丸鋸３を収容して、安全に携行することができる。
電気丸鋸を携行しないときは、中皿２を容器本体１の上部に配置しておくことによって、中皿２に小物などを収容することができる便利な工具箱として使用することができるとともに、例えば特許文献２に開示される本体の内部に内装箱や仕切り手段を設ける従来の工具箱のように、内装箱などを別途保管しておく必要がない。
【００１１】
請求項２記載の発明によれば、中皿２を上下反転させて容器本体１内に配置したときに、電気丸鋸３を支受させた中皿２を安定させ、携行中に中皿２が容器本体１内において妄動するのを防止することができる。
【００１２】
請求項３記載の発明によれば、中皿２の底壁2bに穿設した貫通孔４に沿って中皿内を区画する仕切り壁７を設けたことによって、該仕切り壁７が中皿２の底面に電気丸鋸３を支受させたときに中皿２の補強として機能するとともに、中皿２を容器本体１の上部に配置した場合に、仕切り壁７によって中皿２の内部が複数の収容部に仕切られ、中皿として使い易い状態を実現することができる。
請求項４記載の発明によれば、中皿２を容器本体１の上部に配置して小物などを収容する中皿として使用する場合に、貫通孔４を貫通孔蓋８で塞ぐことによって、貫通孔４から収容物が落下するのを防止することができる。
【図面の簡単な説明】
【００１３】
【図１】図１は、中皿を容器本体の内底部に配置した工具箱の縦断面図、
【図２】図２は、中皿を容器本体の上端部に配置した工具箱の縦断面図、
【図３】図３は、中皿を容器本体の上端部に配置した工具箱の、蓋を除いた平面図、
【図４】図４は、中皿を容器本体の内底部に配置した工具箱の、蓋を除いた平面図、
【図５】図５は、図１のＶ‐Ｖ線断面図、
【図６】図６は、容器本体のみの、蓋を除いた平面図、
【図７】図７は、中皿の平面図、
【図８】図８は、中皿の斜視図、
【図９】図９は、中皿の底面図、
【図１０】図１０は、中皿を反転させた状態の斜視図、
【図１１】図１１は、中皿の貫通孔部分のみの拡大底面図、
【図１２】図１２は、貫通孔蓋の底面図である。
【発明を実施するための形態】
【００１４】
以下、本発明に係る工具箱の実施形態を添付の図面に基づいて説明する。
図１、図２に示す実施形態の工具箱は、上方に向けて拡径され上端が開放される平面形状が略長方形の容器本体１と、容器本体１内に配置する中皿２と、容器本体１の上端開放部を塞ぐ蓋９とで構成し、容器本体１の左右側面上部には、門形のハンドル10の両端部を回動自在に装着している。
【００１５】
容器本体１内に配置する中皿２は、図３に示すように容器本体１上部の短辺方向に、長辺方向で掛け渡すように配置する平面形状が略長方形であり、中皿２の上端部に形成した外鍔11を容器本体１の上部内面に形成した段部12に支受させている。図示実施形態では、外鍔11の一部に形成した切欠部13を、容器本体１の上端内周部に形成した突出部14に係合させることによって、中皿２を安定させるようにしている。
中皿２の長辺方向を容器本体１の長辺方向に向け、中皿２を上下反転させて容器本体１内に配置すると、図１、図４に示すように中皿２は容器本体１の内底部に配置されることになる。
【００１６】
中皿２の底壁2bには、図７ないし図10に示すように、一方の長辺に沿って貫通孔４を穿設している。この貫通孔４は、に電気丸鋸３の鋸刃3b及び鋸刃カバー3cを貫通させることができる大きさとする。すなわち、貫通孔４は、中皿２を上下反転させて中皿底面に電気丸鋸３のベース部分3aを支受させたときに、電気丸鋸３の鋸刃3b及び鋸刃カバー3cを貫通させるとともに、ベース部分3a全体を同一平面上である中皿底面に、水平状態で支受することができるようにするためのものである。
【００１７】
中皿２内には、図７、図８に示すように貫通孔４に沿って、仕切り壁７を配置している。仕切り壁７は、中皿２の内周面において縦方向に突出形成したガイド溝23に沿って、仕切り壁７の両端に形成した係合突起24を係合させることによって着脱自在としている。仕切り壁７は、一箇所に配置するものであってもよいが、複数位置に配置するものであってもよい。
仕切り壁７は、図８に示す実施形態のように、中皿とは別に成型した仕切り壁を着脱するものであってもよいが、中皿２に一体で成型されるものであってもよい。
また、中皿２の四辺の上端、すなわち外鍔11の上面四箇所に一定高さの突起５、５を形成している。この突起５は、中皿を反転させて容器本体１内に配置した場合に、容器本体底面に当接することになる。この構造に対応させて、仕切り壁７を装着した場合に、上端面7aが突起５の先端と同一レベルとなるようにしておくと、中皿２を反転させて電気丸鋸を載置した場合に、電気丸鋸の重量を仕切り壁によっても支えることができ、中皿２の底壁2bが撓むようなことを防止することができる。
【００１８】
図９に示すように、中皿２の底面には、長手方向の左右両側に方形の突条15、15を形成し、該突条15、15を掛け渡すように、左右二箇所に突条16、16を形成している。これら突条15、16は、その先端高さを同一、すなわち同一平面上に位置させ、中皿２を反転させて底面に電気丸鋸３のベース部分3aを置いたとき、突条15、16の先端面で電気丸鋸３を安定的に支受することができるようにしている。
中皿２の深さ、すなわち周壁2aの高さＨは、電気丸鋸３のベース部分3aから突出する鋸刃3b及び鋸刃カバー3cの突出寸法H’よりも大きな寸法とする。
【００１９】
容器本体１内に、電気丸鋸３を収容するには、図１、図４に示すように中皿２を上下反転させて容器本体１の内底部に配置する。この状態で、電気丸鋸３を中皿２の底面上に載置すると、図１及び図５に示すように、電気丸鋸３の鋸刃3b及び鋸刃を覆っている鋸刃カバー3cが、貫通孔４から中皿２内に突出し、電気丸鋸３のベース部分3aが中皿の底面、具体的には突条15、16の頂面に安定的に支受される。
このとき、容器本体１の大きさは、電気丸鋸３全体が支障なく収容されるように、電気丸鋸３の本体部3dやハンドル部3eが収容される幅及び深さを備えたものとする。
【００２０】
容器本体１の側壁内面には、図６に示すように長辺の二箇所に上下方向に連続する凸面1aと、中央及び左右の三箇所に凹面1bを形成している。その結果、容器本体１の側壁内面には凸面1aと凹面1bの間に、上部にある段部12から下端部に達し、底面に収斂する段部17、17を形成している。この段部17、17は、中皿２を上下反転させて容器本体１の内底部に配置した場合に、中皿２の上端に形成した突起５、５が係合し、中皿２を安定させるように機能する。
【００２１】
段部17、17に突起５を係合させるに際し、容器本体１の中央の凹面1bと左右の凸面1aとで形成される段部17、17の下端部における間隔Ｗを、中皿２の長辺方向に形成した突起５の長さＬと等しくしておくことによって、中皿２の突起５を容器本体１の段部17にしっかりと係合させることができる。すなわち、段部17の下端部が係合部６として機能するものであるが、容器本体１の内面全体を平坦面とし、係合部として適宜の凹所を形成することもできる。
中皿２の長辺方向に配置する突起５は、二個の突起としその両端を寸法Ｗとして係合部６に係合させることもできる。中皿２の短辺方向に形成した突起５は、容器本体１底面に当接する脚として機能する。
【００２２】
中皿２の長辺方向を容器本体１の上部において短辺方向に配置し、小物などを収容する中皿として使用する場合、収容物が貫通孔４から容器本体内に落下する可能性がある。  このような事態に対応して、貫通孔４を塞ぐ貫通孔蓋８を着脱自在に設けておくのが好ましい。図２に示す如く、貫通孔蓋８は中皿２の底壁2b表面と面一の状態で装着されるように、貫通孔４の内周縁に段部18を形成しておき、薄板状の貫通孔蓋８の周縁部を段部18に支受させ、貫通孔蓋８の表面と底壁2b表面が面一となるようにしている。
【００２３】
図12に示すように、貫通孔蓋８の底面には貫通孔４の内周縁に嵌合する突条19を形成するとともに、突条19の先端部分に外側方に向けて複数の係止爪20を形成している。  そして、中皿２の底壁2bには、図11に示すように貫通孔４の周縁部に、前記貫通孔蓋８の係止爪20が係合する凹所21を設けている。この構造とすることによって、貫通孔４に対して貫通孔蓋８を係止爪20によるクリック機構で、パチンと嵌め込むことができる。
図11において、22は段部18を形成することによる薄肉状態を回避するために形成した厚肉部である。
【００２４】
本発明に係る工具箱は、電動丸鋸を携行しない場合において、中皿２を取り外して使用することもできる。また、取り外した中皿は、保管場所において電動丸鋸の支持台（スタンド）として活用することができる。この場合においても、電動丸鋸を水平状態に保管することができる。
【符号の説明】
【００２５】
１…容器本体、  1a…凸面、  1b…凹面、  ２…中皿、  2a…周壁、  2b…底壁、  ３…電気丸鋸、  3a…ベース部分、  3b…鋸刃、  3c…鋸刃カバー、  3d…本体部、  3e…ハンドル部、  ４…貫通孔、  ５…突起、  ６…係合部、    ７…仕切り壁、  7a…上端面、  ８…貫通孔蓋、  ９…蓋、  10…ハンドル、  11…外鍔、  12…段部、  13…切欠部、  14…突出部、  15、16、19…突条、  17、18…段部、  20…係止爪、  21…凹所、  22…厚肉部、  23…ガイド溝、  24…係合突起。
【図１】
0005519595.tif 000002
【図２】
0005519595.tif 000003
【図３】
0005519595.tif 000004
【図４】
0005519595.tif 000005
【図５】
0005519595.tif 000006
【図６】
0005519595.tif 000007
【図７】
0005519595.tif 000008
【図８】
0005519595.tif 000009
【図９】
0005519595.tif 000010
【図１０】
0005519595.tif 000011
【図１１】
0005519595.tif 000012
【図１２】
0005519595.tif 000013